(57)【要約】      （修正有）【課題】お湯の投与に当たって簡単な操作で確実かつ効率的に投与できる。【解決手段】お湯投与容器１は、内部にお湯を収容する可とう性材料で成形した筒状容器本体１０と、筒状容器本体１０の開口部１２に着脱可能である蓋体２０と、を備え、蓋体２０は、人体にセットされた供給チューブに接続する吐出口２２ａと、吐出口２２ａを覆う着脱可能なキャップ２３と、を有し、筒状容器本体１０は、蛇腹１４を有し、蓋体２０の吐出口２２ａを供給チューブに接続した状態で、筒状容器本体１０の底部１３を吐出口方向へ向けて押し、蛇腹１４を縮ませて筒状容器本体１０に収容したお湯を、吐出口２２ａから押し出し、供給チューブからお湯を人体に投与する。【選択図】図２
2016016881.tif 000002
【特許請求の範囲】
【請求項１】
内部にお湯を収容する可とう性材料で成形した筒状容器本体と、
前記筒状容器本体の開口部に着脱可能である蓋体と、を備え、
前記蓋体は、
人体にセットされた供給チューブに接続する吐出口と、
前記吐出口を覆う着脱可能なキャップと、を有し、
前記筒状容器本体は、蛇腹を有し、
前記蓋体の吐出口を前記供給チューブに接続した状態で、前記筒状容器本体の底部を前記吐出口方向へ向けて押し、
前記蛇腹を縮ませて前記筒状容器本体に収容したお湯を、前記吐出口から押し出し、前記供給チューブから前記お湯を人体に投与することを特徴とするお湯投与容器。
【請求項２】
前記蛇腹は、前記筒状容器本体の胴体全体に設けたことを特徴とする請求項１に記載のお湯投与容器。
【請求項３】
前記蛇腹は、前記筒状容器本体の胴体の開口部側と底部側の中間に設けたことを特徴とする請求項１に記載のお湯投与容器。
【請求項４】
前記キャップは、連結リードと共に前記蓋体と一体に成形されることを特徴とする請求項１乃至請求項３のいずれか１項に記載のお湯投与容器。
【発明の詳細な説明】
【技術分野】
【０００１】
この発明は、栄養剤や流動食を投与する際にお湯を投与するお湯投与容器に関する。
【背景技術】
【０００２】
従来、固形食品の摂取が困難な患者や高齢者に対して、栄養剤や流動食を、経口又は経鼻、経胃、経十二指腸などに投与するために投与装置を用いている。栄養剤や流動食による患者の栄養管理では、例えば、経口、経鼻チューブ或いはＰＥＧ（Ｐｅｒｃｕｔａｎｅｏｕｓ  Ｅｎｄｏｓｃｏｐｉｃ  Ｇａｓｔｒｏｓｔｏｍｙ：経皮内視鏡的胃瘻造設術）による投与が行われている（特許文献１）。
【０００３】
このように、固形食品の摂取が困難な患者や高齢者に対して、栄養剤や流動食を投与しているが、現在では、一回の投与に当たって、最適量の固形化、ゲル化又はゾル化した栄養組成物を効率的に投与できるように、投与する前にお湯をシリンジに入れて供給チューブにシリンジの先端を差し込み、手を添えながらシリンジを操作してお湯を例えば２００ｍｌ〜３００ｍｌ投与し、その後に栄養剤や流動食の投与を行っている。このシリンジ投与では２００mｌ〜３００ｍｌを投与する時、シリンジに、お湯を吸い取って、チューブに差し込み、押し出すを３回位繰り返し、小さいシリンジではこれを６回くらい繰り返している。また、栄養組成物を投与した後には、お湯をシリンジに入れて同様に供給チューブにシリンジの先端を差し込み、シリンジを操作してお湯を例えば２０ｍｌ〜３０ｍｌ投与して供給チューブを洗浄している。
【先行技術文献】
【特許文献】
【０００４】
【特許文献１】特開２００７−２１５６８４号公報
【発明の概要】
【発明が解決しようとする課題】
【０００５】
このように、栄養剤や流動食の投与の前後に、お湯をシリンジに入れて投与しているが、例えば２００ｍｌ〜３００ｍｌ投与するためには、シリンジの押すストロークが長くなるために、シリンジを使用した投与作業は押すストロークが長いことから、シリンジを使用する者に過大な労力を負担させていた。また、従来のシリンジ投与では複数回繰り返しており、繰り返しの作業が面倒であった。
【０００６】
この発明は、かかる点に鑑みてなされたもので、お湯の投与に当たって簡単な操作で確実かつ効率的に投与できるお湯投与容器を提供することを目的とする。
【課題を解決するための手段】
【０００７】
前記課題を解決し、かつ目的を達成するために、この発明は、以下のように構成した。
【０００８】
請求項１に記載の発明は、内部にお湯を収容する可とう性材料で成形した筒状容器本体と、
前記筒状容器本体の開口部に着脱可能である蓋体と、を備え、
前記蓋体は、
人体にセットされた供給チューブに接続する吐出口と、
前記吐出口を覆う着脱可能なキャップと、を有し、
前記筒状容器本体は、蛇腹を有し、
前記蓋体の吐出口を前記供給チューブに接続した状態で、前記筒状容器本体の底部を前記吐出口方向へ向けて押し、
前記蛇腹を縮ませて前記筒状容器本体に収容したお湯を、前記吐出口から押し出し、前記供給チューブから前記お湯を人体に投与することを特徴とするお湯投与容器である。
【０００９】
請求項２に記載の発明は、前記蛇腹は、前記筒状容器本体の胴体全体に設けたことを特徴とする請求項１に記載のお湯投与容器である。
【００１０】
請求項３に記載の発明は、前記蛇腹は、前記筒状容器本体の胴体の開口部側と底部側の中間に設けたことを特徴とする請求項１に記載のお湯投与容器である。
【００１１】
請求項４に記載の発明は、前記キャップは、連結リードと共に前記蓋体と一体に成形されることを特徴とする請求項１乃至請求項３のいずれか１項に記載のお湯投与容器である。
【発明の効果】
【００１２】
前記構成により、この発明は、以下のような効果を有する。
【００１３】
請求項１に記載の発明では、筒状容器本体は、蛇腹を有し、蓋体の吐出口を供給チューブに接続した状態で、筒状容器本体の底部を吐出口側へ向けて押すことで、蛇腹を縮ませてお湯を蓋体の吐出口から押し出し、供給チューブから簡単な操作で確実かつ効率的にお湯を投与できる。
【００１４】
請求項２に記載の発明では、蛇腹は、筒状容器本体の胴体全体に設けたことで、お湯の投与に当たって簡単な操作で例えば２００ｍｌ〜３００ｍｌのお湯を1回で確実かつ効率的に投与できる。
【００１５】
請求項３に記載の発明では、蛇腹は、筒状容器本体の胴体の開口部側と底部側の中間に設けたことで、簡単な操作で例えば２００ｍｌ〜３００ｍｌのお湯を1回で確実かつ効率的に投与できる。
【００１６】
請求項４に記載の発明では、キャップは、連結リードと共に蓋体と一体に成形されており、蓋体からキャップが離脱することがなく取扱が容易である。
【図面の簡単な説明】
【００１７】
【図１】第１の実施の形態のお湯投与容器の側面図である。
【図２】お湯投与容器の断面図である。
【図３】筒状容器本体から蓋体を外した状態の側面図である。
【図４】お湯投与容器の使用状態を示す図である。
【図５】第２の実施の形態のお湯投与容器の側面図である。
【図６】筒状容器本体から蓋体を外した状態の側面図である。
【図７】お湯投与容器の使用状態を示す図である。
【図８】第３の実施の形態のお湯投与容器の側面図である。
【発明を実施するための形態】
【００１８】
以下、この発明のお湯投与容器の実施の形態について説明する。この発明の実施の形態は、発明の最も好ましい形態を示すものであり、この発明はこれに限定されない。
【００１９】
（第１の実施の形態）
第１の実施の形態のお湯投与容器を、図１乃至図４に基づいて説明する。図１はお湯投与容器の側面図、図２はお湯投与容器の断面図、図３は筒状容器本体から蓋体を外した状態の側面図、図４はお湯投与容器の使用状態を示す図である。
【００２０】
この実施の形態のお湯投与容器１は、筒状容器本体１０と、蓋体２０とを備え、筒状容器本体１０及び蓋体２０は、可とう性材料で成形される。この筒状容器本体１０は、内部にお湯を収容するものであり、胴体１１と、開口部１２と、底部１３を有する。胴体１１の全体に蛇腹１４が設けられ、底部１３を開口部側に向けて押すと、蛇腹１４が縮み、押すことを止めると、蛇腹１４は元の形状に復帰する。開口部１２には、雄ねじ１２ａが形成されている。
【００２１】
蓋体２０は、取付部２１と、パイプ部２２と、キャップ２３を有する。取付部２１には、雌ねじ２１ａが形成されており、取付部２１の雌ねじ２１ａを、筒状容器本体１０の開口部１２の雄ねじ１２ａに螺着する。パイプ部２２の吐出口２２ａには、キャップ２３の凸部２３ａが着脱可能であり、このキャップ２３は、連結リード２４と共に取付部２１に連結するように一体に成形される。
【００２２】
可とう性材料としては、樹脂が用いられる。この樹脂材としては、例えば熱可塑性樹脂であり、ポリオレフィン系樹脂、ポリスチレン系樹脂、ポリ塩化ビニル樹脂、ポリ塩化ビニリデン、ポリビニルアルコール系樹脂、ポリアクリルニトリル樹脂、ポリアクリル酸樹脂、ジェン系樹脂、ポリアミド系樹脂、ポリエステル系樹脂、ポリカーボネート、ポリアセタール、フッ素系樹脂、ポリウレタン系樹脂等である。ポリオレフィン系樹脂としては、ポリエチレン、ポリプロピレン、４−メチルペンテン−１、ポリブテン−１、直鎖状低密度ポリエチレン等である。ポリビニルアルコール系樹脂としては、エチレン−ビニルアルコールコポリマー、エチレン−酢酸ビニルコポリマー、シンジオタクチックポリビニルアルコール等がある。ジェン系樹脂としては、ポリブタジェン系、ポリイソプレン系、環化ジェン系等である。
【００２３】
この実施の形態のお湯投与容器１は、固形食品の摂取が困難な患者や高齢者に対して、栄養剤や流動食を投与する場合に使用される。栄養剤や流動食を効率的に投与できるように、投与する前にお湯投与容器１にお湯を入れてパイプ部２２の先端を供給チューブ１００に差し込無。そして、片方の手で筒状容器本体１０の胴部１１を持ち、他方の手で底部１３を吐出口側に向けて押すと、胴部１１の蛇腹１４が縮み、筒状容器本体１０からお湯を例えば1回で２００ｍｌ〜３００ｍｌを簡単かつ確実に投与することができる。
【００２４】
このようにして、お湯の投与が終了すると、お湯投与容器１を供給チューブ１００から取り外し、流動食投与装置を供給チューブ１００に接続し、流動食を投与する。流動食を投与した後には、流動食投与装置を取り外して再びお湯を収容したお湯投与容器１を供給チューブ１００に接続する。そして、片方の手で筒状容器本体１０の胴部１１を持ち、他方の手で底部１３を吐出口側に向けて押すと、同様に蛇腹１４が縮み、お湯を例えば２０ｍｌ〜３０ｍｌ投与して供給チューブ１００を洗浄する。
【００２５】
このように、筒状容器本体１０は、蛇腹１４を有し、蓋体２０の吐出口２２を供給チューブ１００に接続した状態で、筒状容器本体１０の底部１３を吐出口側へ向けて押すことで、蛇腹１４を縮ませてお湯を蓋体２０の吐出口２２から押し出し、供給チューブ１００から簡単な操作で確実かつ効率的にお湯を投与できる。
【００２６】
また、蛇腹１４は、筒状容器本体１０の胴体全体に設けたことで、お湯の投与に当たって簡単な操作で、例えば1回で２００ｍｌ〜３００ｍｌのお湯を確実かつ効率的に投与できる。このように、シリンジ投与では２００mｌ〜３００ｍｌを投与する時、一度にお湯を例えば３００mｌ入れ１回で楽に押し出すことができ、チューブに差し込み、押し出すことを繰り返す作業を省略でき、取扱が容易になる。
【００２７】
また、蓋体２０は、吐出口２２を覆う着脱可能なキャップ２３を有し、キャップ２３は、連結リード２４と共に蓋体２０と一体に成形されており、蓋体２０からキャップ２３が離脱することがなく取扱が容易である。
【００２８】
（第２の実施の形態）
第２の実施の形態のお湯投与容器を、図５乃至図７に基づいて説明する。図５はお湯投与容器の側面図、図６は筒状容器本体から蓋体を外した状態の側面図、図７はお湯投与容器の使用状態を示す図である。
【００２９】
この実施の形態のお湯投与容器１は、第１の実施の形態と同様に構成されるが、蛇腹１４は、筒状容器本体１０の胴体１１の開口部側と底部側の中間に設けている。片方の手で筒状容器本体１０の胴部１１を持ち、他方の手で底部１３を吐出口側に向けて押すと、蛇腹１４が縮み、押すことを止めると、蛇腹１４は元の形状に復帰する。
【００３０】
蛇腹１４は、筒状容器本体１０の胴体１１の開口部側と底部側の中間に設けたことで、片手で胴体１１を容易に持つことができ、簡単な操作で例えば1回で２００ｍｌ〜３００ｍｌのお湯を確実かつ効率的に投与できる。
【００３１】
（第３の実施の形態）
第３の実施の形態のお湯投与容器を、図８に基づいて説明する。図８はお湯投与容器の側面図である。
【００３２】
この実施の形態のお湯投与容器１は、第１の実施の形態と同様に構成されるが、筒状容器本体１０は、開口部側から底部側にかけて徐々に小径に形成している。この構成により、片方の手で筒状容器本体１０の胴部１１を持ち、他方の手で底部１３を吐出口側に向けて押すと、蛇腹１４が縮むが第１の実施の形態よりお湯の投与が徐々に弱くなるようにすることができる。
【産業上の利用可能性】
【００３３】
この発明は、栄養剤や流動食を投与する際にお湯を投与するお湯投与容器に適用でき、お湯の投与に当たって簡単な操作で確実かつ効率的に投与できる。
【符号の説明】
【００３４】
１  お湯投与容器
１０  筒状容器本体
１１  胴体
１２  開口部
１２ａ  雄ねじ
１３  底部
１４  蛇腹
２０  蓋体
２１  取付部
２２  パイプ部
２２ａ  吐出口
２３  キャップ
２１ａ  雌ねじ
２４  連結リード
１００  供給チューブ
【図１】
2016016881.tif 000003
【図２】
2016016881.tif 000004
【図３】
2016016881.tif 000005
【図４】
2016016881.tif 000006
【図５】
2016016881.tif 000007
【図６】
2016016881.tif 000008
【図７】
2016016881.tif 000009
【図８】
2016016881.tif 000010